(57)【要約】      （修正有）【課題】作業ポイントの視認性を高くし、画面上で作業ポイントを容易に探すことができ、作業ポイントにおける作業の内容を容易に認識する装置及びシステムを提供する。【解決手段】タブレット装置１１は、表示部３６と、図面表示画面に図面を表示する図面表示処理部Ｐｒ１２と、作業現場で行われる作業の内容に応じて設定された複数の素描が記録された素描一覧と、素描一覧の各素描と対応させて素描の属性が記録された素描属性一覧と、素描一覧において選択された素描、及び素描属性一覧に記録され、選択された素描に対応する素描の属性に基づいて、図面表示画面上の作業ポイントを表す位置に指標を表示する指標表示処理部Ｐｒ１３とを有する。素描一覧において選択された素描、及び素描属性一覧に記録された素描の属性に基づいて、図面表示画面上の作業ポイントを表す位置に指標が表示されるので、作業ポイントの視認性を高くすることができる。【選択図】図１
2019101650.tif 000002
【特許請求の範囲】
【請求項１】
（ａ）表示部と、
（ｂ）該表示部に形成された図面表示画面に図面を表示する図面表示処理部と、
（ｃ）作業現場で行われる作業の内容に応じて設定された複数の素描が記録された素描一覧と、
（ｄ）該素描一覧の各素描と対応させて素描の属性が記録された素描属性一覧と、
（ｅ）前記素描一覧において選択された素描、及び前記素描属性一覧に記録され、前記選択された素描に対応する素描の属性に基づいて、図面表示画面上の作業ポイントを表す位置に指標を表示する指標表示処理部とを有することを特徴とする情報処理装置。
【請求項２】
前記指標表示処理部は、図面表示画面上の、作業現場で行われる作業の内容に応じた位置に前記指標を表示する請求項１に記載の情報処理装置。
【請求項３】
前記指標表示処理部は、操作者が図面表示画面上で選択した位置に前記指標を表示する請求項１に記載の情報処理装置。
【請求項４】
前記指標表示処理部は、図面表示画面上の同じ位置に複数の指標を表示する請求項１〜３のいずれか１項に記載の情報処理装置。
【請求項５】
前記図面表示画面に、前記図面に隣接させて指標の一覧を表示する指標リスト表示処理部を有する請求項１〜４のいずれか１項に記載の情報処理装置。
【請求項６】
前記指標の属性情報である位置を変更することによって、図面表示画面上の、指標が表示される位置が変更される請求項１〜５のいずれか１項に記載の情報処理装置。
【請求項７】
前記指標の属性情報である縮尺を変更することによって、図面表示画面上の指標の寸法が変更される請求項１〜６のいずれか１項に記載の情報処理装置。
【請求項８】
図面表示画面に表示される図面の元図に対する縮尺に応じて、図面表示画面上の指標の寸法が変更される請求項１〜７のいずれか１項に記載の情報処理装置。
【請求項９】
図面表示画面に表示された指標の指標情報を指標情報記憶部に記録することによって指標を登録する指標登録処理部を有する請求項１〜８のいずれか１項に記載の情報処理装置。
【請求項１０】
（ａ）請求項１〜９のいずれか１項に記載の情報処理装置は、ネットワークを介してサーバ装置と接続され、
（ｂ）前記図面表示処理部は、サーバ装置から送信された図面データに基づいて図面を図面表示画面に表示することを特徴とする情報処理システム。
【請求項１１】
前記指標表示処理部は、サーバ装置から送信された、前記素描一覧に記録された所定の素描、及び前記素描属性一覧に記録され、前記所定の素描に対応する素描の属性を含むマーク情報に基づいて、前記指標を図面表示画面に表示する請求項１０に記載の情報処理システム。
【発明の詳細な説明】
【技術分野】
【０００１】
本発明は、情報処理装置及び情報処理システムに関するものである。
【背景技術】
【０００２】
従来、建築現場、工事現場、測量現場等の作業現場、例えば、建築現場において、情報処理装置としての携帯型の端末装置を使用することによって、該端末装置の画面に表示された建築現場の図面に基づいて所定の作業箇所で作業を行い、必要に応じて、端末装置に搭載された電子カメラで作業箇所を撮影し、作業の内容及び写真をサーバ装置に送信し、記録することができるようにした情報処理システムが提供されている。
【０００３】
該情報処理システムを利用して前記作業箇所で作業を行うことができるように、建築現場の作業を統括する管理者は、あらかじめ建築現場における作業箇所を作業ポイントとして設定する。そして、作業者である端末装置の操作者は、建築現場において端末装置の画面に建築現場の図面を表示し、設定された作業ポイントで作業を行ったり、作業ポイントを撮影したりする（例えば、特許文献１参照。）。
【先行技術文献】
【特許文献】
【０００４】
【特許文献１】特開２０１１−１９８２５１号公報
【発明の概要】
【発明が解決しようとする課題】
【０００５】
しかしながら、前記従来の端末装置においては、設定された作業ポイントが画面上に数字等の符号で表示されるので、視認性が低く、操作者が画面上で作業ポイントを探すのが困難であるだけでなく、作業ポイントにおける作業の内容を、画面に表示される符号から認識するのが困難である。
【０００６】
本発明は、前記従来の端末装置の問題点を解決して、作業ポイントの視認性を高くし、画面上で作業ポイント箇所を容易に探すことができ、作業ポイントにおける作業の内容を容易に認識することができる情報処理装置及び情報処理システムを提供することを目的とする。
【課題を解決するための手段】
【０００７】
そのために、本発明の情報処理装置においては、表示部と、該表示部に形成された図面表示画面に図面を表示する図面表示処理部と、作業現場で行われる作業の内容に応じて設定された複数の素描が記録された素描一覧と、該素描一覧の各素描と対応させて素描の属性が記録された素描属性一覧と、前記素描一覧において選択された素描、及び前記素描属性一覧に記録され、前記選択された素描に対応する素描の属性に基づいて、図面表示画面上の作業ポイントを表す位置に指標を表示する指標表示処理部とを有する。
【発明の効果】
【０００８】
本発明によれば、情報処理装置においては、表示部と、該表示部に形成された図面表示画面に図面を表示する図面表示処理部と、作業現場で行われる作業の内容に応じて設定された複数の素描が記録された素描一覧と、該素描一覧の各素描と対応させて素描の属性が記録された素描属性一覧と、前記素描一覧において選択された素描、及び前記素描属性一覧に記録され、前記選択された素描に対応する素描の属性に基づいて、図面表示画面上の作業ポイントを表す位置に指標を表示する指標表示処理部とを有する。
【０００９】
この場合、素描一覧において選択された素描、及び素描属性一覧に記録され、選択された素描に対応する素描の属性に基づいて、図面表示画面上の作業ポイントを表す位置に指標が表示されるので、作業ポイントの視認性を高くすることができる。
【００１０】
したがって、操作者は、作業現場において図面表示画面上で作業ポイントを容易に選択することができ、作業ポイントにおける作業の内容を容易に認識することができる。
【図面の簡単な説明】
【００１１】
【図１】本発明の実施の形態におけるタブレット装置の制御ブロック図である。
【図２】本発明の実施の形態における情報処理システムを示す概念図である。
【図３】本発明の実施の形態におけるサーバ装置の制御ブロック図である。
【図４】本発明の実施の形態における表示部に形成される図面表示画面の例を示す図である。
【図５】本発明の実施の形態における図面表示画面に表示される一覧部の要部を示す図である。
【図６】本発明の実施の形態におけるマークの属性情報の例を示す図である。
【図７】本発明の実施の形態における素描一覧の例を示す図である。
【図８】本発明の実施の形態における素描属性一覧の例を示す図である。
【図９】本発明の実施の形態におけるタブレット装置の動作を示す第１のフローチャートである。
【図１０】本発明の実施の形態におけるタブレット装置の動作を示す第２のフローチャートである。
【図１１】本発明の実施の形態におけるタブレット装置の動作を示す第３のフローチャートである。
【発明を実施するための形態】
【００１２】
以下、本発明の実施の形態について図面を参照しながら詳細に説明する。この場合、情報処理装置としての、かつ、携帯型の端末装置としてのタブレット装置とサーバ装置とがネットワークを介して接続された情報処理システムについて説明する。
【００１３】
図２は本発明の実施の形態における情報処理システムを示す概念図である。
【００１４】
図において、１０は情報処理システム、１１はタブレット装置、１２はサーバ装置、ＤＢは該サーバ装置１２に配設された第１の記憶部としての図面データベースである。該図面データベースＤＢには、建築物の見取り図から成り、建築現場を表す複数の図面のデータ、すなわち、図面データＤｔｉ（ｉ＝１、２、…）、後述される指標情報としてのマーク情報等が記録される。
【００１５】
前記図面データＤｔｉは、設計者によって設計され、例えば、Ａ０判、Ａ１判等の大判の用紙に作成された設計図面、すなわち、元図を、ＣＡＤデータ、ＪＰＥＧデータ、ＰＤＦデータ等のデータ形式でデータ化することによって作成される。
【００１６】
また、ｄｓ１は、タブレット装置１１に形成された図面表示用の画面、すなわち、図面表示画面、ｇｒｓは、図面データＤｔｉのうちの所定の図面データＤｔｓに基づいて前記図面表示画面ｄｓ１に表示された所定の建築現場を表す図面である。該図面ｇｒｓは元図と同じ内容を有する。
【００１７】
前記タブレット装置１１及びサーバ装置１２は、インターネット等のネットワークＮｔを介して接続され、情報処理システム１０を構成し、タブレット装置１１とサーバ装置１２との間で各種のデータの送受信が行われる。
【００１８】
情報処理システム１０を利用することによって、建築現場、工事現場、測量現場等の作業現場、本実施の形態においては、建築現場における作業者であるタブレット装置１１の操作者が、図面表示画面ｄｓ１に表示された前記図面ｇｒｓに基づいて所定の作業箇所で作業を行い、必要に応じて、タブレット装置１１に搭載された後述される撮像装置としての電子カメラ４５（図１）で作業箇所を撮影し、作業の内容及び写真をサーバ装置１２に送信し、記録することができる。
【００１９】
そのために、建築現場の作業を統括する管理者は、各建築現場において所定の作業を行う作業箇所を作業ポイントとして設定する。
【００２０】
また、管理者は、タブレット装置１１の図面表示画面ｄｓ１に図面ｇｒｓが表示されたときに、作業ポイントが、指標としての後述されるマークＫｊ（ｊ＝１、２、…）で表示されるように、前記マーク情報を生成し、前記各図面データＤｔｉと対応させて前記図面データベースＤＢに記録する。
【００２１】
なお、前記マーク情報は、各マークＫｊの属性情報であるマークＫｊの形状、サイズ及び縮尺、マークＫｊが表示される位置、マークＫｊに付与されるコメント等から成る。
【００２２】
前記タブレット装置１１としては、建築現場に持ち込むことができるように、薄型で、比較的軽量であり、かつ、携帯するのに適した寸法のものが使用される。本実施の形態においては、情報処理装置としてタブレット装置１１が使用されるが、タブレット装置１１に代えて、ノートパソコン、携帯電話、スマートフォン等の、ネットワークＮｔに接続することができ、ネットワークＮｔを介して図面データベースＤＢにアクセス（接続）することができる装置を使用することができる。
【００２３】
次に、サーバ装置１２について説明する。
【００２４】
図３は本発明の実施の形態におけるサーバ装置の制御ブロック図である。
【００２５】
サーバ装置１２は、制御部としてのＣＰＵ（中央演算処理装置）２１、第２の記憶部としてのＲＯＭ（ＲＥＡＤ  ＯＮＬＹ  ＭＥＭＯＲＹ：読取専用メモリ）２３、第３の記憶部としてのＲＡＭ（ＲＡＮＤＯＭ  ＡＣＣＥＳＳ  ＭＥＭＯＲＹ：読書自在メモリ）２４、通信部２５、表示部２６、操作部２７、第１の記憶媒体としての記憶装置１３等を備える。
【００２６】
前記ＣＰＵ２１は、ＲＯＭ２３に記録された各種のプログラムに従ってサーバ装置１２の全体の制御（情報処理）を行う。また、ＣＰＵ２１は、前記図面データＤｔｉ（図２）の管理を行う図面管理処理部Ｐｒ１を備える。該図面管理処理部Ｐｒ１は、タブレット装置１１からの要求に応じて、図面データベースＤＢから建築現場の図面データＤｔｓ及び対応するマーク情報を読み出し、通信部２５を介してタブレット装置１１に送信する。
【００２７】
前記ＲＯＭ２３には、図面管理処理部Ｐｒ１が図面管理処理を行うためのプログラム、該プログラムを実行するために必要なパラメータ等が記録される。
【００２８】
前記ＲＡＭ２４は、ＣＰＵ２１が各種の処理を行う際にデータを一時的に記録するバッファとして機能するとともに、ＣＰＵ２１が各種の処理を行う際のワーキングメモリとして機能する。
【００２９】
前記通信部２５は、サーバ装置１２をネットワークＮｔに接続するための通信用インタフェースである。
【００３０】
前記表示部２６は、液晶ディスプレイ等から成る表示デバイスであり、図面データベースＤＢに記録された図面データＤｔｉの各元図を表示したり、図面データＤｔｓの図面ｇｒｓを表示したりする。
【００３１】
前記操作部２７は、キーボード、マウス等から成る入力デバイスであり、操作者が操作部２７を操作することによって、ＣＰＵ２１に所定の事項が入力される。
【００３２】
前記記憶装置１３は、ハードディスク等の大容量記憶媒体から成り、前記図面データベースＤＢを備える。該図面データベースＤＢには、図面データＤｔｉ及び対応するマーク情報が記録される。
【００３３】
前述されたように、本実施の形態においては情報処理装置としてタブレット装置１１が使用されるが、情報処理装置としてスマートフォンが使用される場合、スマートフォンを使用して図面データベースＤＢから図面データＤｔｓを取得しようとすると、スマートフォンは、表示部の画面が小さく、操作部にキーボード等を備えていないので、操作性が低く、図面データベースＤＢにおいて図面データＤｔｉを検索する際の効率が低くなるので、図面データＤｔｓを取得するまでに長い時間がかかる。そこで、情報処理装置としてスマートフォンを使用する場合、操作者は、サーバ装置１２を操作することによって図面データＤｔｓをスマートフォンに送信することができる。
【００３４】
次に、タブレット装置１１について説明する。
【００３５】
図１は本発明の実施の形態におけるタブレット装置の制御ブロック図である。
【００３６】
タブレット装置１１は、制御部としてのＣＰＵ３１、第４の記憶部としてのＲＯＭ３３、第５の記憶部としてのＲＡＭ３４、通信部３５、表示部３６、操作部３７、電子カメラ４５、第２の記憶媒体としての大容量の記憶装置４６等を備える。
【００３７】
前記ＣＰＵ３１は、情報取得処理部Ｐｒ１１、図面表示処理部Ｐｒ１２、指標表示処理部Ｐｒ１３、指標リスト表示処理部Ｐｒ１４、指標登録処理部Ｐｒ１５等を備え、前記ＲＯＭ３３に記録された各種のプログラムに従ってタブレット装置１１の全体の制御を行う。
【００３８】
なお、ＲＯＭ３３には、情報取得処理部Ｐｒ１１が情報取得処理を行うためのプログラム、図面表示処理部Ｐｒ１２が図面表示処理を行うためのプログラム、及び該プログラムを実行するために必要なパラメータ、指標表示処理部Ｐｒ１３が指標表示処理を行うためのプログラム、指標リスト表示処理部Ｐｒ１４が指標リスト表示処理を行うためのプログラム、指標登録処理部Ｐｒ１５が指標登録処理を行うためのプログラム等が記録される。
【００３９】
前記情報取得処理部Ｐｒ１１は、タブレット装置１１がサーバ装置１２（図３）に接続されている状態で、図面データベースＤＢから、図面データＤｔｉのうちの前記所定の図面データＤｔｓを取得する。そのために、操作者が、タブレット装置１１のメニュー画面で情報取得を選択し、操作部３７を操作し、所定の検索条件を入力してサーバ装置１２に図面データＤｔｉの検索を指示すると、サーバ装置１２において、前記図面管理処理部Ｐｒ１は、図面データＤｔｉを検索し、検索条件が成立する図面データＤｔｓを出力し、対応するマーク情報と共にタブレット装置１１に送信する。
【００４０】
そして、前記情報取得処理部Ｐｒ１１は、サーバ装置１２から図面データＤｔｓ及び対応するマーク情報を取得すると、前記記憶装置４６の第１のデータ記憶部としての図面データ記憶部４８に図面データＤｔｓを、前記記憶装置４６の第２のデータ記憶部としての、かつ、指標情報記憶部としてのマーク情報記憶部５０にマーク情報を記録する。
【００４１】
操作者が、タブレット装置１１のメニュー画面で図面表示を選択すると、前記図面表示処理部Ｐｒ１２は、表示部３６に前記図面表示画面ｄｓ１（図２）を形成し、図面データ記憶部４８から図面データＤｔｓを読み出し、図面データＤｔｓに基づいて図面表示画面ｄｓ１に図面ｇｒｓを表示する。
【００４２】
前記指標表示処理部Ｐｒ１３は、マーク情報記憶部５０からマーク情報を読み出し、該マーク情報に基づいて前記マークＫｊを作成し、図面表示画面ｄｓ１に、図面ｇｒｓに隣接させて、又は図面ｇｒｓに重ねて表示する。
【００４３】
前記指標リスト表示処理部Ｐｒ１４は、図面表示画面ｄｓ１の所定の箇所に後述される指標リストとしての一覧部Ｌｓ１（図４）を表示し、該一覧部Ｌｓ１にマークＫｊ、及び各マークＫｊの属性情報をリストで表示する。
【００４４】
前記指標登録処理部Ｐｒ１５は、建築現場における作業中に操作者によって新たな作業ポイントが設定され、図面表示画面ｄｓ１上で新たなマークが形成され、表示されたときに、新たに表示されたマークについてのマーク情報をマーク情報記録部５０に記録することによって、新たに表示されたマークを登録する。
【００４５】
前記ＲＡＭ３４は、ＣＰＵ３１が各種の処理を行う際にデータを一時的に記録するバッファとして機能するとともに、ＣＰＵ３１が各種の処理を行う際のワーキングメモリとして機能する。
【００４６】
前記通信部３５は、タブレット装置１１をネットワークＮｔに接続するための通信用インタフェースである。
【００４７】
なお、本実施の形態において、前記情報取得処理部Ｐｒ１１は、通信部３５を介して図面データＤｔｓ及びマーク情報を取得するようになっているが、ＵＳＢ（ＵＮＩＶＥＲＳＡＬ  ＳＥＲＩＡＬ  ＢＵＳ）メモリ等の半導体メモリを介して図面データＤｔｓ及びマーク情報を取得することができる。また、情報取得処理部Ｐｒ１１は、サーバ装置１２から図面データＤｔｓ及びマーク情報を取得するようになっているが、ネットワークＮｔを介して接続された図示されないパソコンから図面データＤｔｓ及びマーク情報を取得することができる。その場合、前記パソコンの記憶装置に図面データＤｔｉ及びマーク情報があらかじめ記録される。
【００４８】
前記表示部３６は、液晶ディスプレイ等から成り、表示画面がタッチパネルで形成された表示デバイスであり、操作部３７の機能を有する。
【００４９】
前記操作部３７は、キーボード、マウス等から成る入力デバイスであり、操作者が操作部３７に配設されたボタン等を操作することによって、ＣＰＵ３１に所定の事項が入力される。
【００５０】
本実施の形態においては、前記表示部３６がタッチパネルで形成されているので、操作者は、表示部３６の図面表示画面ｄｓ１上の操作要素としてのキー等に操作媒体としての指でタッチすることによって、ＣＰＵ３１に所定の事項を入力することができる。例えば、操作者が、画面に表示された操作要素としての「選択キー（ボタン）」にタッチすると、表示部３６は操作者の指による動作を検出する。
【００５１】
この場合、操作者がタッチパネル上の所定の位置にタッチすると、前記表示部３６は、操作者がタッチした位置を所定のサンプリング周期でサンプリングし、リアルタイムでタッチパネル上の座標の位置の時間的変化を追跡する。
【００５２】
なお、表示部３６は、図面表示画面ｄｓ１に操作者がタッチしたまま指を移動させたときに、指のスライド動作を検出し、操作者が２本の指をタッチしたまま広げたときに、指のピンチ動作を検出し、操作者が指を弾いたときに、指のフリック動作を検出し、操作者がタッチパネルに短時間タッチしたときに、指のタップ動作を検出する。
【００５３】
前記電子カメラ４５は、撮像素子を備え、被写体、本実施の形態においては、作業ポイントが撮影されるのに伴って、デジタルの画像データから成る写真データを生成するデジタルカメラである。操作者が、タブレット装置１１の所定の箇所に形成されたシャッタ（スイッチ）を押下するか、又はタッチパネル上に形成されたシャッタにタッチすると、電子カメラ４５によって写真が撮影される。
【００５４】
前記記憶装置４６は、例えば、ハードディスク、ＥＥＰＲＯＭ（ＥＬＥＣＴＯＲＩＣＡＬＬＹ  ＥＲＡＳＡＢＬＥ  ＰＲＯＧＲＡＭＭＡＢＬＥ  ＲＯＭ）等から成り、前記図面データ記憶部４８及びマーク情報記憶部５０が配設され、図面データ記憶部４８に、サーバ装置１２から送信された図面データＤｔｓ等が記録され、マーク情報記憶部５０に、サーバ装置１２から送信されたマーク情報、及び前記指標登録処理部Ｐｒ１５によって登録されたマークのマーク情報が記録される。
【００５５】
次に、図面データＤｔｉについて説明する。
【００５６】
本実施の形態において、Ａ０判、Ａ１判等の大判の用紙に作成された元図をデータ化した図面データＤｔｉは、比較的高い解像度（密度）（６００〔ｄｐｉ〕又は４００〔ｄｐｉ〕）で図面データベースＤＢに記録される。
【００５７】
ここで、Ａ０判の元図の寸法は、縦が８４１〔ｍｍ〕、横が１１８９〔ｍｍ〕であるので、６００〔ｄｐｉ〕の解像度で図面データＤｔｉを作成すると、縦が１９８６６〔ドット〕、横が２８０８７〔ドット〕になり、これを面の画素数で表すと、約５億６千万〔ドット〕になり、非常に膨大なデータ量になる。
【００５８】
一方、タブレット装置１１の表示部３６に形成される図面表示画面ｄｓ１の寸法は、一般的に、縦が７８６〔ドット〕、横が１０２４〔ドット〕程度であり、面の画素数で表すと、７８万６千〔ドット〕になる。
【００５９】
したがって、表示部３６の図面表示画面ｄｓ１に表示される図面ｇｒｓは、図面データＤｔｓに対して約７００分の１の解像度で表示されることになる。そして、図面データＤｔｓをサーバ装置１２からタブレット装置１１に送信し、表示部３６の図面表示画面ｄｓ１に図面ｇｒｓを表示しようとすると、図面データ記憶部４８のメモリ容量等の制約から、表示に要する時間、すなわち、表示時間が長くなり、数〔秒〕から数十〔秒〕になってしまう。
【００６０】
ところで、建築現場において作業ポイントを確認する場合、図面表示画面ｄｓ１に必ずしも高い解像度で図面ｇｒｓを表示する必要はなく、１４０〔ｄｐｉ〕〜１５０〔ｄｐｉ〕程度の解像度があれば十分である。
【００６１】
また、表示部３６の図面表示画面ｄｓ１の寸法が、例えば、縦が７８６〔ドット〕であり、確認対象物について確認を行う際に、図面ｇｒｓについて６倍の倍率までの拡大が要求される場合、図面データＤｔｓの縦のサイズは、
７６８〔ドット〕×６＝４６０８〔ドット〕
あれば十分である。
【００６２】
これをＡ０判の用紙に作成された元図に当てはめると、元図の寸法は縦が８４１〔ｍｍ〕であるので、図面ｇｒｓの解像度は、
（（４６０８／８４１）×２５．４）＝１３９．２〔ｄｐｉ〕
になる。
【００６３】
すなわち、縦が７８６〔ドット〕程度の寸法の図面表示画面ｄｓ１に、縦のサイズが４６０８〔ドット〕の図面ｇｒｓを１３９．２〔ｄｐｉ〕の解像度で表示する場合、図面ｇｒｓの表示時間を十分に短くすることができる。
【００６４】
そこで、本実施の形態においては、前記図面表示処理部Ｐｒ１２が、サーバ装置１２から送信された図面データＤｔｓの解像度を６００〔ｄｐｉ〕から１５０〔ｄｐｉ〕に変更する処理を行い、変更後の解像度で図面ｇｒｓを表示するようになっている。
【００６５】
なお、タブレット装置１１の処理速度が高い場合は、解像度が、例えば、２００〔ｄｐｉ〕であっても表示時間を短くすることができる。すなわち、解像度の値は、タブレット装置１１の処理速度、図面ｇｒｓの拡大の倍率等によって決まる。
【００６６】
また、解像度を変更しても、図面表示画面ｄｓ１上の位置を図面データＤｔｓ上の位置に対応させて算出することができ、元図上の作業ポイントの位置に対応させて図面表示画面ｄｓ１上の作業ポイントの位置を設定することができる。
【００６７】
次に、表示部３６に形成される図面表示画面ｄｓ１について説明する。
【００６８】
図４は本発明の実施の形態における表示部に形成される図面表示画面の例を示す図、図５は本発明の実施の形態における図面表示画面に表示される一覧部の要部を示す図である。
【００６９】
図において、１１はタブレット装置、Ｆｒはフレーム、ｄｓ１は表示部３６（図１）にタッチパネルで形成された図面表示画面である。建築現場において、操作者は、例えば、図に示されるように、タブレット装置１１のフレームＦｒを左手で持ち、右手で図面表示画面ｄｓ１にタッチする。
【００７０】
操作者がタブレット装置１１のメニュー画面で図面表示を選択すると、前記図面表示処理部Ｐｒ１２は、マーク情報記憶部５０から図面データＤｔｓを読み出し、該図面データＤｔｓに基づいて図面ｇｒｓを生成し、図面表示画面ｄｓ１に表示する。
【００７１】
また、前記図面表示画面ｄｓ１には、縮尺表示部Ａｒ１、及びＸＹ座標による第１、第２のスケール表示部Ａｒ２、Ａｒ３が形成される。縮尺表示部Ａｒ１には、表示されている図面ｇｒｓの元図に対する図面表示用の縮尺、本実施の形態においては、「１／１００」が、第１のスケール表示部Ａｒ２には図面ｇｒｓのＸ軸方向のスケールが、第２のスケール表示部Ａｒ３には図面ｇｒｓのＹ軸方向のスケールが表示される。
【００７２】
そして、前記指標表示処理部Ｐｒ１３によってマーク情報記憶部５０から読み出されたマーク情報に基づいて、図面ｇｒｓに隣接させて、又は図面ｇｒｓと重ねて、作業ポイントを表すマークＫｊ、本実施の形態においては、マークＫ１〜Ｋ６が作成され、図面表示画面ｄｓ１に表示される。したがって、操作者は、建築現場において図面表示画面ｄｓ１を見て、マークＫ１〜Ｋ６が表示された各作業ポイントで、マークＫ１〜Ｋ６ごとに決められた作業を行うことができる。
【００７３】
なお、一つの作業ポイントにおいて複数の作業が行われる場合、前記指標表示処理部Ｐｒ１３によって、図面表示画面ｄｓ１上の同じ位置に複数のマークが表示される。図４においては、各マークＫ１〜Ｋ６のうちのマークＫ１、Ｋ５が同じ作業ポイントに、マークＫ２、Ｋ６が同じ作業ポイントに表示される。
【００７４】
また、前記指標リスト表示処理部Ｐｒ１４によって、図面ｇｒｓに隣接させて、マークＫ１〜Ｋ６の一覧である一覧部Ｌｓ１が表示される。該一覧部Ｌｓ１において、各マークＫ１〜Ｋ６の属性を表す属性情報がリストで表示される。
【００７５】
そのために、図５に示されるように、一覧部Ｌｓ１に、各マークＫ１〜Ｋ６の属性情報を表示するための区分、例えば、マークの番号を表示するための区分Ｓｂ１、マークの属性情報である名称を表示するための区分Ｓｂ２、マークの属性情報であるコメントを表示するための区分Ｓｂ３、及び操作者が電子カメラ４５によって撮影した作業ポイントの写真を表示するための区分Ｓｂ４が形成される。
【００７６】
なお、一覧部Ｌｓ１においてすべてのマークＫ１〜Ｋ６の属性情報を表示することができない場合、図面表示画面ｄｓ１のサイズに応じて数が限定されたマーク、図４においては、マークＫ１〜Ｋ４についてだけ属性情報が表示される。
【００７７】
また、同じ作業ポイントに複数のマークが表示される場合、マークの番号は共通にされる。
【００７８】
一覧部Ｌｓ１においては、マークＫ１について、区分Ｓｂ１にマークＫ１の番号「Ｎｏ．１」が表示され、区分Ｓｂ２にマークＫ１の名称「バックホー」が表示され、区分Ｓｂ３にマークＫ１についてのコメント「庭掘削  旋回範囲注意！」が表示され、区分Ｓｂ４に作業ポイントの写真が表示される。
【００７９】
したがって、操作者は、図面表示画面ｄｓ１においてマークＫ１が表示された作業ポイントで、「バックホー」を使用し、「庭掘削」の作業を「旋回範囲」を注意しながら行う。
【００８０】
同様に、マークＫ２について、区分Ｓｂ１にマークＫ２の番号「Ｎｏ．２」が表示され、区分Ｓｂ２にマークＫ２の名称「ダンプ」が表示され、区分Ｓｂ３にマークＫ２についてのコメント「土砂搬送  移動範囲制限」が表示される。
【００８１】
したがって、操作者は、図面表示画面ｄｓ１においてマークＫ２が表示された作業ポイントで、「ダンプ」を使用し、「土砂搬送」の作業を「移動範囲」を制限しながら行う。
【００８２】
また、マークＫ３について、区分Ｓｂ１にマークＫ３の番号「Ｎｏ．３」が表示され、区分Ｓｂ２にマークＫ３の名称「ホイールローダ」が表示される。
【００８３】
したがって、操作者は、図面表示画面ｄｓ１においてマークＫ３が表示された作業ポイントで、「ホイールローダ」を使用して作業を行う。
【００８４】
さらに、マークＫ４について、区分Ｓｂ１にマークＫ４の番号「Ｎｏ．４」が表示され、区分Ｓｂ２にマークＫ４の名称「傷」が表示され、区分Ｓｂ３にマークＫ４についてのコメント「壁に傷有り  補修が必須」が表示され、区分Ｓｂ４に作業ポイントの写真が表示される。
【００８５】
したがって、操作者は、図面表示画面ｄｓ１においてマークＫ４が表示された作業ポイントで、「傷」を補修する作業を行う。
【００８６】
なお、一覧部Ｌｓ１にはマークＫ５、Ｋ６の属性情報が表示されないが、操作者がマークＫ１、Ｋ２にタッチすると、前記指標リスト表示処理部Ｐｒ１４によって、マークＫ１、Ｋ２の属性情報に代えてマークＫ５、Ｋ６の属性情報が表示される。
【００８７】
この場合、マークＫ５について、区分Ｓｂ１にマークＫ５の番号「Ｎｏ．１」が表示され、区分Ｓｂ２にマークＫ５の名称「円エリア」が表示され、区分Ｓｂ３にマークＫ５についてのコメント「旋回範囲  円エリア内」が表示される。
【００８８】
したがって、操作者は、図面表示画面ｄｓ１においてマークＫ５が表示された範囲内で「バックホー」を旋回させ、「庭掘削」の作業を行う。
【００８９】
また、マークＫ６について、区分Ｓｂ１にマークＫ６の番号「Ｎｏ．２」が表示され、区分Ｓｂ２にマークＫ６の名称「矩形エリア」が表示され、区分Ｓｂ３にマークＫ６についてのコメント「移動範囲  矩形エリア内」が表示される。
【００９０】
したがって、操作者は、図面表示画面ｄｓ１においてマークＫ６が表示された範囲内で「ダンプ」を移動ささせ、「土砂搬送」の作業を行う。
【００９１】
そして、前記指標リスト表示処理部Ｐｒ１４によって、前記マークＫ１〜Ｋ４と、番号「Ｎｏ．１」〜「Ｎｏ．４」を表示するための区分Ｓｂ１のコーナ部とを結ぶ引出線Ｌ１〜Ｌ４が破線で表示される。なお、操作者は、前記引出線Ｌ１〜Ｌ４の表示・非表示を選択することができる。
【００９２】
この場合、一覧部Ｌｓ１に属性情報が表示されないマークＫ５、Ｋ６については引出線が表示されない。一覧部Ｌｓ１にマークＫ５、Ｋ６の属性情報が表示されるようになると、マークＫ５、Ｋ６について引出線が表示される。なお、マークＫ５は、マークＫ１と同じ作業ポイントに表示されるので共通の番号「Ｎｏ．１」が付与され、マークＫ６は、マークＫ２と同じ作業ポイントに表示されるので共通の番号「Ｎｏ．２」が付与される。
【００９３】
したがって、操作者は、図面表示画面ｄｓ１上でマークＫ１〜Ｋ６のうちの所定のマークを選択し、タッチすることによって作業ポイントを選択し、一覧部Ｌｓ１の対応するマークのコメントを参照して、作業ポイントにおいて設定された作業の内容の作業を行ったり、作業ポイントを撮影したりすることができる。
【００９４】
次に、マーク情報記憶部５０に記録されたマークＫ１〜Ｋ６の属性情報について説明する。
【００９５】
図６は本発明の実施の形態におけるマークの属性情報の例を示す図である。
【００９６】
この場合、各マークＫ１〜Ｋ６の属性情報は、番号「Ｎｏ．１」〜「Ｎｏ．４」と対応させて前記マーク情報記憶部５０（図１）に記録される。
【００９７】
前記属性情報は、「名称」、「コメント」、「写真番号」、「位置」、「素描番号１」、「サイズ」、「縮尺」、「素描番号２」、「サイズ」及び「縮尺」の属性から成る。
【００９８】
「名称」は、マークＫ１〜Ｋ４の名称であり、マークＫ１に「バックホー」の名称が、マークＫ２に「ダンプ」の名称が、マークＫ３に「ホイールローダ」の名称が、マークＫ４に「傷」の名称が付与される。
【００９９】
「コメント」は、マークＫ１〜Ｋ４に付与されているコメントであり、マークＫ１にコメント「ＡＡＡ（庭掘削  旋回範囲注意！）」が、マークＫ２にコメント「ＢＢＢ（土砂搬送  移動範囲制限）」が付与され、マークＫ３にはコメントが付与されず、マークＫ４にコメント「ＣＣＣ（壁に傷有り  補修が必須）」が付与される。
【０１００】
「写真番号」は、作業ポイントを撮影した写真の番号であり、マーク情報記憶部５０の所定の記録場所に、各写真と「写真番号」とが対応させて記録される。
【０１０１】
マークＫ１の写真番号は「Ｐ１」であり、マークＫ４の写真番号は「Ｐ２」であり、マークＫ２、Ｋ３の写真は記録されない。
【０１０２】
「位置」は、図面表示画面ｄｓ１（図４）上のマークＫ１〜Ｋ４の位置を表す座標データであり、マークＫ１の位置の座標データは、「ｘ１，ｙ１」であり、マークＫ２の位置の座標データは、「ｘ２，ｙ２」であり、マークＫ３の位置の座標データは、「ｘ３，ｙ３」であり、マークＫ４の位置の座標データは、「ｘ４，ｙ４」である。図面表示画面ｄｓ１上のマークＫ１〜Ｋ４の位置は、図面データＤｔｓ上の位置に対応させて設定される。座標データを変更すると、図面表示画面ｄｓ１上のマークＫ１〜Ｋ４の位置を変更することができる。例えば、図面表示画面ｄｓ１に表示されているマークＫ１〜Ｋ４のうちの所定のマークを選択し、該マークの位置の座標データを変更してマークを移動させると、前記指標登録処理部Ｐｒ１５は、座標データが変更されたマークのマーク情報をマーク情報記憶部５０に記録することによって、新たなマークを登録する。
【０１０３】
「素描番号１」は、マークＫ１〜Ｋ４のイメージである素描を特定する番号、すなわち、素描番号を表し、マークＫ１の素描の素描番号は「Ｊ１」であり、マークＫ２の素描の素描番号は「Ｊ２」であり、マークＫ３の素描の素描番号は「Ｊ３」であり、マークＫ４の素描の素描番号は「Ｍ１」である。
【０１０４】
「素描番号１」の「サイズ」及び「縮尺」は、マークＫ１〜Ｋ４の「サイズ」及び「縮尺」であり、マークＫ１の「サイズ」は「Ｓ１」であり、「縮尺」は「１」であり、マークＫ２の「サイズ」は「Ｓ２」であり、「縮尺」は「１」であり、マークＫ３の「サイズ」は「Ｓ３」であり、「縮尺」は「１」であり、マークＫ４の「サイズ」は「Ｓ４」であり、「縮尺」は「１０」である。
【０１０５】
「素描番号２」は、マークＫ５、Ｋ６の素描を特定する素描番号を表し、マークＫ５の素描の素描番号は「Ｊ４」であり、マークＫ６の素描の素描番号は「Ｊ５」である。
【０１０６】
「素描番号２」の「サイズ」及び「縮尺」は、マークＫ５、Ｋ６の「サイズ」及び「縮尺」であり、マークＫ５の「サイズ」は「Ｓ５」であり、「縮尺」は「１」であり、マークＫ６の「サイズ」は「Ｓ６」であり、「縮尺」は「１」である。
【０１０７】
なお、前記「サイズ」は、図面表示画面ｄｓ１上のマークＫ１〜Ｋ６の実寸の属性情報であり、図面表示画面ｄｓ１上でマークＫ１〜Ｋ６が実寸になるように図面データＤｔｓが設定される。
【０１０８】
また、前記「縮尺」は、図面データＤｔｓ上のマークＫ１〜Ｋ６の寸法δ１に対する図面表示画面ｄｓ１上のマークＫ１〜Ｋ６の寸法δ２の比γ
γ＝δ２／δ１
で表され、マークＫ１〜Ｋ６の視認性を考慮してあらかじめ設定され、登録される。なお、この場合、「縮尺」はマーク表示用の縮尺であり、前述された図面ｇｒｓの元図に対する図面表示用の縮尺とは異なる。
【０１０９】
作業者は、各マークＫ１〜Ｋ６の属性情報を変更することによって、図面表示画面ｄｓ１上の各マークＫ１〜Ｋ６の視認性を高くすることができる。
【０１１０】
例えば、図面表示画面ｄｓ１上で図面ｇｒｓとマークＫ１〜Ｋ６とが重なって表示されると、マークＫ１〜Ｋ６の視認性が低くなり、マークＫ１〜Ｋ６を適正に選択し、作業ポイントにおいて適正な作業を行うことができなくなってしまう。その場合、前述されたように、各マークＫ１〜Ｋ６の属性情報である「位置」の座標データを変更すると、図面表示画面ｄｓ１上のマークＫ１〜Ｋ６の位置を変更することができ、図面ｇｒｓとマークＫ１〜Ｋ６とが重なって表示されるのを防止することができ、マークＫ１〜Ｋ６の視認性を高くすることができる。
【０１１１】
また、図面表示画面ｄｓ１上に各マークＫ１〜Ｋ６が表示されたときに、所定のマークＫ１〜Ｋ６の寸法δ２が過剰に小さかったり、過剰に大きく、図面ｇｒｓとオーバラップしたりすると、視認性が低くなってしまう。そこで、各マークＫ１〜Ｋ６の属性情報である「縮尺」を大きくしたり、小さくしたりすることができる。例えば、図６において、番号Ｎｏ．４が付された一つ目のマークＫ４の「縮尺」は「１０」であるので、図面表示画面ｄｓ１上のマークＫ４の寸法δ２は図面データＤｔｓ上のマークＫ４の寸法δ１の１０倍になる。
【０１１２】
このように、マークＫ１〜Ｋ６の属性情報である「縮尺」を変更することによって、図面表示画面ｄｓ１上に表示されるマークＫ１〜Ｋ６の寸法を変更し、マークＫ１〜Ｋ６の視認性を高くすることができる。
【０１１３】
ところで、図面表示画面ｄｓ１上にマークＫｊを表示するために、建築現場における作業の内容に応じて、前述された、「バックホー」、「ダンプ」、「ホイールローダ」、「傷」等のように、複数の、本実施の形態においては、７個のマークの素描が設定され、該各マークの素描が素描番号と対応させて、マーク情報記憶部５０に形成された素描一覧に記録される。また、各マークの素描ごとに素描番号と「名称」、「ファイル」及び「サイズ」の素描の属性情報とが対応させて、マーク情報記憶部５０に形成された素描属性一覧に記録される。
【０１１４】
図７は本発明の実施の形態における素描一覧の例を示す図、図８は本発明の実施の形態における素描属性一覧の例を示す図である。
【０１１５】
素描一覧には、作業現場で行われる作業の内容に応じて設定された複数のマークの素描が素描番号と対応させて記録される。すなわち、素描番号が「Ｊ１」のマークとしてバックホーの素描が、素描番号が「Ｊ２」のマークとしてダンプの素描が、素描番号が「Ｊ３」のマークとしてホイールローダの素描が、素描番号が「Ｍ１」のマークとして傷を表す素描が、素描番号が「Ｍ２」のマークとして人を表す素描が、素描番号が「Ｊ４」のマークとして円を表す素描が、素描番号が「Ｊ５」のマークとして矩形を表す素描が記録される。
【０１１６】
なお、既存のマークの素描ではない任意の素描を使用することができ、任意の素描を使用する場合、新たなマークの素描を表す画像データを有するファイルが指定される。
【０１１７】
したがって、操作者は、操作者独自のマークの素描を素描一覧に登録し、図面表示画面ｄｓ１に表示することができるので、作業ポイントの視認性を高くすることができる。
【０１１８】
また、素描属性一覧には、素描一覧の素描と対応させて属性情報、すなわち、各マークの素描の属性、本実施の形態においては、素描番号、マークの素描の「名称」、マークの素描を表す画像データの「ファイル」、及び図面表示画面ｄｓ１に表示されるマークの素描の実寸を表す「サイズ」が記録される。
【０１１９】
すなわち、素描番号が「Ｊ１」のマークの素描の名称は「バックホー」であり、マークの素描を表す画像データは「Ｆｉｌｅ  Ａ」であり、マークの素描のサイズは「Ｓ１」であり、素描番号が「Ｊ２」のマークの素描の名称は「ダンプ」であり、マークの素描を表す画像データは「Ｆｉｌｅ  Ｂ」であり、マークの素描のサイズは「Ｓ２」であり、素描番号が「Ｊ３」のマークの素描の名称は「ホイールローダ」であり、マークの素描を表す画像データは「Ｆｉｌｅ  Ｃ」であり、マークの素描のサイズは「Ｓ３」であり、素描番号が「Ｍ１」のマークの素描の名称は「傷」であり、マークの素描を表す画像データは「Ｆｉｌｅ  Ｄ」であり、マークの素描のサイズは「Ｓ４」であり、素描番号が「Ｍ２」のマークの素描の名称は「人」であり、マークの素描を表す画像データは「Ｆｉｌｅ  Ｅ」であり、マークの素描のサイズは「Ｓ７」であり、素描番号が「Ｊ４」のマークの素描の名称は「円エリア」であり、マークの素描を表す画像データは「Ｆｉｌｅ  Ｆ」であり、マークの素描のサイズは「Ｓ５」であり、素描番号が「Ｊ５」のマークの素描の名称は「矩形エリア」であり、マークの素描を表す画像データは「Ｆｉｌｅ  Ｇ」であり、マークの素描のサイズは「Ｓ６」である。
【０１２０】
したがって、指標表示処理部Ｐｒ１３によって、素描一覧においてマーク情報で設定された素描、及び素描属性一覧に記録され、素描に対応する属性情報に基づいて、図面表示画面ｄｓ１にマークＫｊが表示される。
【０１２１】
ところで、本実施の形態においては、指標表示処理部Ｐｒ１３が、マーク情報記憶部５０に記録されたマーク情報に基づいて図面表示画面ｄｓ１上の所定の位置にマークＫ１〜Ｋ６を表示するようになっているが、建築現場において、操作者が新たな作業ポイントを設定し、図面表示画面ｄｓ１上に新たなマークを表示することができる。
【０１２２】
次に、図面表示画面ｄｓ１に新たにマークを表示し、表示したマークを登録する際のタブレット装置１１の動作について説明する。
【０１２３】
図９は本発明の実施の形態におけるタブレット装置の動作を示す第１のフローチャートである。
【０１２４】
まず、情報取得処理部Ｐｒ１１（図１）は、サーバ装置１２から建築現場の図面データＤｔｓを取得し、図面データ記憶部４８に記録する。図面データベースＤＢに図面データＤｔｓに対応するマーク情報がある場合は、マーク情報も取得する。
【０１２５】
次に、図面表示処理部Ｐｒ１２は、表示部３６に図面表示画面ｄｓ１を形成し、図面データ記憶部４８から図面データＤｔｓを読み出し、該図面データＤｔｓに基づいて図面表示画面ｄｓ１に図面ｇｒｓを表示する。
【０１２６】
続いて、操作者が、図面表示画面ｄｓ１上の、建築現場で行われる作業の内容に応じた位置を短時間タッチすることによって、マークを表示する位置、すなわち、マーク表示位置を選択すると、表示部３６は、操作者のタップ動作を検出し、タップ動作の信号をＣＰＵ３１に送り、指標表示処理部Ｐｒ１３は、図面表示画面ｄｓ１におけるマーク表示位置にウインドウを形成し、素描一覧を表示する。
【０１２７】
そして、操作者が、素描一覧における所定のマークの素描にタッチすることによってマークの素描を選択すると、指標表示処理部Ｐｒ１３は、選択されたマークの素描の素描番号を読み込み、素描属性一覧から、素描番号に対応する属性情報を読み出し、該属性情報に基づいてマークを作成し、前記マーク表示位置に表示する。この場合、指標表示処理部Ｐｒ１３は、マークを素描属性一覧で表される「サイズ」で表示する。なお、属性情報として、図８の素描属性一覧で示される「サイズ」のほかに、「コメント」、「縮尺」等を利用してマークを作成することができる。
【０１２８】
このようにして、建築現場において新たに設定された作業ポイントを表すマークが図面表示画面ｄｓ１に表示されると、指標登録処理部Ｐｒ１５は、図面表示画面ｄｓ１に表示されたマークを登録し、マーク情報をマーク情報記憶部５０に記録する。また、指標登録処理部Ｐｒ１５は、マーク情報をサーバ装置１２に送信し、図面データベースＤＢに記録し、マーク情報を更新する。
【０１２９】
なお、既に他のマークが表示されている位置に新たなマークを表示する場合、操作者が、既に表示されている所定のマークにタッチすると、指標表示処理部Ｐｒ１３は、操作者がタッチした位置にウインドウを形成し、素描一覧を表示する。したがって、操作者が素描一覧においてタッチすることによって所定の素描を選択すると、指標表示処理部Ｐｒ１３は、選択された素描の素描番号を読み込み、素描属性一覧から、素描番号に対応する属性情報を読み出し、該属性情報に基づいて新たなマークを作成し、既に表示されている他のマークに重ねて表示する。このようにして、同じ作業ポイントに複数のマークを表示することができる。なお、必要に応じて既に表示されている他のマークを新たなマークに置き換えることができる。
【０１３０】
次に、フローチャートについて説明する。
ステップＳ１  情報取得処理部Ｐｒ１１はサーバ装置１２から建築現場の図面データＤｔｓを取得する。
ステップＳ２  図面表示処理部Ｐｒ１２は図面表示画面ｄｓ１に図面ｇｒｓを表示する。
ステップＳ３  操作者がマーク表示位置を選択する。
ステップＳ４  操作者がマークの素描を選択する。
ステップＳ５  指標表示処理部Ｐｒ１３は選択されたマークの素描番号を読み込み、素描番号に対応する属性情報を読み出す。
ステップＳ６  指標表示処理部Ｐｒ１３は属性情報に基づいてマークを作成し、マーク表示位置に表示する。
ステップＳ７  指標登録処理部Ｐｒ１５はマーク情報を図面データベースＤＢに記録し、処理を終了する。
【０１３１】
次に、図面表示画面ｄｓ１に表示される図面ｇｒｓが拡大・縮小されたときに、マークを連動させて表示する場合のタブレット装置１１の動作について説明する。
【０１３２】
図１０は本発明の実施の形態におけるタブレット装置の動作を示す第２のフローチャートである。
【０１３３】
まず、情報取得処理部Ｐｒ１１は、サーバ装置１２から建築現場の図面データＤｔｓ、及び該図面データＤｔｓに対応するマーク情報を取得し、図面データＤｔｓを図面データ記憶部４８に、マーク情報をマーク情報記憶部５０に記録する。
【０１３４】
次に、図面表示処理部Ｐｒ１２は、表示部３６に図面表示画面ｄｓ１を形成し、該図面表示画面ｄｓ１に、図面データＤｔｓに基づいて図面ｇｒｓを表示し、指標表示処理部Ｐｒ１３は、マークの属性情報に基づいてマークを作成し、図面表示画面ｄｓ１に表示する。このとき、マークはマークの属性情報で指定された図面表示画面ｄｓ１上の位置に表示されるので、属性情報の「位置」の座標データを変更することによって、マークが表示される位置を変更することができる。
【０１３５】
そして、図面表示処理部Ｐｒ１２は、タブレット装置１１のメニュー画面において、図面表示画面ｄｓ１に表示される図面ｇｒｓの縮尺の変更が指定されているかどうかを判断し、図面ｇｒｓの縮尺の変更が指定されている場合、図面データ記憶部４８から図面データＤｔｓを読み出し、指定された縮尺の変更に応じて図面ｇｒｓの寸法を変更し、図面ｇｒｓを図面表示画面ｄｓ１に表示する。
【０１３６】
例えば、図面ｇｒｓの縮尺が、１／１００から１／２００に変更される場合、図面データ記憶部４８から読み出された図面データＤｔｓの寸法が１／２にされ、図面表示画面ｄｓ１において図面ｇｒｓの寸法が１／２に変更される。それに伴って、図面表示画面ｄｓ１においてマークを表示するための領域が拡大される。
【０１３７】
次に、指標表示処理部Ｐｒ１３は、マーク情報記憶部５０からマーク情報を読み出し、変更された縮尺に応じてマークのサイズを変更し、マークを図面表示画面ｄｓ１に表示する。
【０１３８】
例えば、前述されたように、図面ｇｒｓの縮尺が、１／１００から１／２００に変更された場合に、マークのサイズが変更されないと、図面ｇｒｓと比べてマークが大きく表示されてしまう。したがって、マークのサイズも１／２に変更される。
【０１３９】
なお、操作者が所定のマークにタッチしたまま図面表示画面ｄｓ１で指を移動させることによって、マークの位置を変更することができる。
【０１４０】
このように、図面表示画面ｄｓ１において、図面ｇｒｓの寸法に対応させてマークのサイズを変更することができるので、作業ポイントの視認性を高くすることができる。
【０１４１】
また、必要に応じて、マークの属性情報の縮尺を利用して、マークのサイズだけを変更することができるので、作業ポイントの視認性を一層高くすることができる。
【０１４２】
次に、フローチャートについて説明する。
ステップＳ１１  情報取得処理部Ｐｒ１１はサーバ装置１２から建築現場の図面データＤｔｓ、及び該図面データＤｔｓに対応するマーク情報を取得する。
ステップＳ１２  図面表示処理部Ｐｒ１２は図面データＤｔｓに基づいて図面ｇｒｓを表示し、指標表示処理部Ｐｒ１３はマークの属性情報に基づいてマークを作成し、表示する。
ステップＳ１３  図面表示処理部Ｐｒ１２は図面ｇｒｓの縮尺の変更が指定されているかどうかを判断する。図面ｇｒｓの縮尺の変更が指定されている場合はステップＳ１４に進み、図面ｇｒｓの縮尺の変更が指定されていない場合は処理を終了する。
ステップＳ１４  図面表示処理部Ｐｒ１２は指定された縮尺の変更に応じて図面ｇｒｓの寸法を変更し、図面ｇｒｓを図面表示画面ｄｓ１に表示する。
ステップＳ１５  指標表示処理部Ｐｒ１３は変更された縮尺に応じてマークのサイズを変更し、マークを図面表示画面ｄｓ１に表示し、処理を終了する。
【０１４３】
次に、素描一覧に記録されていないマークの素描を登録するときのタブレット装置１１の動作について説明する。
【０１４４】
図１１は本発明の実施の形態におけるタブレット装置の動作を示す第３のフローチャートである。
【０１４５】
まず、操作者が、図面表示画面ｄｓ１（図４）の所定の箇所に短時間タッチすることによってマーク表示位置を選択すると、指標表示処理部Ｐｒ１３（図１）は、図面表示画面ｄｓ１にウインドウを形成し、図７に示される素描一覧を表示する。
【０１４６】
操作者が素描一覧にタッチすることによってマークの素描を選択すると、指標表示処理部Ｐｒ１３は、選択されたマークの素描が、既に登録された既存のマークの素描であるかどうかを判断する。
【０１４７】
選択されたマークの素描が既存のマークの素描である場合、指標表示処理部Ｐｒ１３は、選択されたマークの素描の素描番号を読み込み、素描属性一覧から素描番号に対応する属性情報を読み出し、該属性情報に基づいてマークを作成し、図面表示画面ｄｓ１に表示する。
【０１４８】
一方、選択されたマークの素描が既存のマークの素描でない場合、マークの素描の素描番号が付与されていないので、操作者が、前記素描一覧における最下段の「ファイル指定」の欄にタッチして「ファイル指定」を選択すると、指標表示処理部Ｐｒ１３は、新たなマークの素描を表す画像データを有するファイルを指定する。
【０１４９】
これにより、指標登録処理部Ｐｒ１５は、マーク情報記憶部５０に記録され、指定されたファイルからマークの素描を表す画像データを読み出し、該画像データに基づいてマークを作成し、図面表示画面ｄｓ１に表示する。このとき、操作者は、操作部３７を操作し、新たなマークの素描について属性情報、例えば、サイズ、縮尺等を入力する。
【０１５０】
続いて、指標登録処理部Ｐｒ１５は、新たなマークの素描に素描番号を付与し、新たなマークの素描を登録し、新たなマークの素描に属性情報を付与することによって、マーク情報を生成し、素描一覧に記録する。
【０１５１】
そして、指標登録処理部Ｐｒ１５は、マーク情報をサーバ装置１２に送信し、図面データベースＤＢに記録し、マーク情報を更新する。
【０１５２】
その後、新たなマークを図面表示画面ｄｓ１に表示する場合、情報取得処理部Ｐｒ１１は図面データベースＤＢから、更新されたマーク情報を取得し、マーク情報記憶部５０に記録し、指標表示処理部Ｐｒ１３は、マーク情報記憶部５０からマーク情報を読み出し、新たなマークを作成し、表示する。
【０１５３】
次に、フローチャートについて説明する。
ステップＳ２１  指標表示処理部Ｐｒ１３は図面表示画面ｄｓ１に素描一覧を表示する。
ステップＳ２２  操作者がマークの素描を選択する。
ステップＳ２３  指標表示処理部Ｐｒ１３は選択されたマークの素描が既存のマークの素描であるかどうかを判断する。選択されたマークの素描が既存のマークの素描である場合はステップＳ２４に、選択されたマークの素描が既存のマークの素描でない場合はステップＳ２５に進む。
ステップＳ２４  指標表示処理部Ｐｒ１３は選択されたマークの素描の素描番号に対応する属性情報を読み出し、マークを作成し、図面表示画面ｄｓ１に表示し、処理を終了する。
ステップＳ２５  指標表示処理部Ｐｒ１３は新たなマークの素描を表す画像データを有するファイルを指定する。
ステップＳ２６  操作者が新たなマークの素描について属性情報を入力する。
ステップＳ２７  指標登録処理部Ｐｒ１５は新たなマークの素描を登録し、マーク情報を生成し、素描一覧に記録し、処理を終了する。
【０１５４】
このように、本実施の形態においては、素描一覧において選択された素描、及び素描属性一覧に記録され、選択された素描に対応する属性情報に基づいてマークＫｊが作成され、図面表示画面ｄｓ１上の作業ポイントを表す位置に表示されるので、作業ポイントの視認性を高くすることができる。
【０１５５】
したがって、操作者は、建築現場において図面表示画面ｄｓ１上で作業ポイントを容易に探すことができ、作業ポイントにおける作業の内容を容易に認識することができる。
【０１５６】
また、作業ポイントにおける作業者の配置、重機の配置、重機の使用上の注意点等の作業方法を認識することができるので、建築現場において作業を円滑に進めることができる。
【０１５７】
本実施の形態においては、建築現場の作業を統括する管理者が、図面データＤｔｉ及びマーク情報を作成するようになっているが、タブレット装置１１の操作者が作成することができる。
【０１５８】
また、本実施の形態においては、情報取得処理部Ｐｒ１１がサーバ装置１２から取得した図面データＤｔｓのマーク情報をマーク情報記憶部５０に記録し、図面表示処理部Ｐｒ１２がマーク情報記憶部５０から図面データＤｔｓを読み出し、指標表示処理部Ｐｒ１３がマーク情報記憶部５０からマーク情報を読み出すようになっているが、図面表示処理部Ｐｒ１２が図面データベースＤＢから図面データＤｔｓを取得し、指標表示処理部Ｐｒ１３が図面データベースＤＢからマーク情報を読み出すようにすることができる。
【０１５９】
さらに、本実施の形態においては、素描一覧及び素描属性一覧がマーク情報記憶部５０に形成されるようになっているが、素描一覧及び素描属性一覧を図面データベースＤＢに形成することができる。
【０１６０】
なお、本発明は前記実施の形態に限定されるものではなく、本発明の趣旨に基づいて種々変形させることが可能であり、それらを本発明の範囲から排除するものではない。
【符号の説明】
【０１６１】
１１    タブレット装置
３６    表示部
ｄｓ１    図面表示画面
ｇｒｓ    図面
Ｋｊ    マーク
Ｐｒ１２    図面表示処理部
Ｐｒ１３    指標表示処理部
【図１】
2019101650.tif 000003
【図２】
2019101650.tif 000004
【図３】
2019101650.tif 000005
【図４】
2019101650.tif 000006
【図５】
2019101650.tif 000007
【図６】
2019101650.tif 000008
【図７】
2019101650.tif 000009
【図８】
2019101650.tif 000010
【図９】
2019101650.tif 000011
【図１０】
2019101650.tif 000012
【図１１】
2019101650.tif 000013